(57)【特許請求の範囲】
【請求項１】
映像信号を含む所定数の１０Ｇリンク信号を入力し、前記１０Ｇリンク信号に含まれる前記映像信号をイーサネットフレームに格納し、前記１０Ｇリンク信号を前記イーサネットフレームに変換し、前記イーサネットフレームを送信するイーサネットフレーム変換装置において、
前記所定数の１０Ｇリンク信号のそれぞれに対応する系統毎に、前記１０Ｇリンク信号の光信号を電気信号に変換し、８Ｂ／１０Ｂ符号化データを出力する光／電気変換部と、
前記系統毎に、前記光／電気変換部により出力された前記８Ｂ／１０Ｂ符号化データに対し８Ｂ／１０Ｂ復号を施し、スタッフィング、及び補助データまたはブランキングデータが多重された多重ＡＮＣを含むワード多重データ系列を生成する８Ｂ／１０Ｂ復号部と、
前記系統毎に、所定の削除規則に従って、前記８Ｂ／１０Ｂ復号部により生成された前記ワード多重データ系列から、前記スタッフィング、前記多重ＡＮＣ、または前記スタッフィング及び前記多重ＡＮＣを削除し、新たなワード多重データ系列を生成するデータ削除部と、
前記データ削除部により生成された前記系統毎の前記新たなワード多重データ系列を、前記イーサネットフレームに格納し、前記イーサネットフレームを所定数のイーサネットにより送信するイーサネットフレーム化部と、
を備えたことを特徴とするイーサネットフレーム変換装置。
【請求項２】
請求項１に記載のイーサネットフレーム変換装置において、
前記所定の削除規則には、前記系統毎に、データを削除しないことを示す情報、前記スタッフィングを削除することを示す情報、前記多重ＡＮＣを削除することを示す情報、または、前記スタッフィング及び前記多重ＡＮＣを削除することを示す情報が定義されている、ことを特徴とするイーサネットフレーム変換装置。
【請求項３】
請求項１または２に記載のイーサネットフレーム変換装置において、
前記イーサネットフレーム化部は、
さらに、前記所定の削除規則が反映された削除情報を、前記イーサネットフレームに格納する、ことを特徴とするイーサネットフレーム変換装置。
【請求項４】
請求項１または２のイーサネットフレーム変換装置から所定数のイーサネットにより送信されたイーサネットフレームを受信し、前記イーサネットフレームから映像信号を抽出し、前記イーサネットフレームを前記１０Ｇリンク信号に再変換し、前記映像信号を含む所定数の１０Ｇリンク信号を出力するイーサネットフレーム再変換装置であって、
前記イーサネットフレームから、前記所定数の１０Ｇリンク信号のそれぞれに対応する系統のワード多重データ系列を抽出するイーサネットデフレーム化部と、
前記系統毎に、所定の削除規則に対応する追加規則に従って、前記イーサネットデフレーム化部により抽出された前記ワード多重データ系列に、スタッフィング、ブランキングデータが多重された多重ＡＮＣ、または前記スタッフィング及び前記多重ＡＮＣを追加し、新たなワード多重データ系列を生成するデータ追加部と、
前記系統毎に、前記データ追加部により生成された前記新たなワード多重データ系列に対し８Ｂ／１０Ｂ符号化を施し、８Ｂ／１０Ｂ符号化データを生成する８Ｂ／１０Ｂ符号化部と、
前記系統毎に、前記８Ｂ／１０Ｂ符号化部により生成された前記８Ｂ／１０Ｂ符号化データの電気信号を光信号に変換し、前記１０Ｇリンク信号を出力する電気／光変換部と、
を備えたことを特徴とするイーサネットフレーム再変換装置。
【請求項５】
請求項３のイーサネットフレーム変換装置から所定数のイーサネットにより送信されたイーサネットフレームを受信し、前記イーサネットフレームから映像信号を抽出し、前記イーサネットフレームを前記１０Ｇリンク信号に再変換し、前記映像信号を含む所定数の１０Ｇリンク信号を出力するイーサネットフレーム再変換装置であって、
前記イーサネットフレームから、前記所定数の１０Ｇリンク信号のそれぞれに対応する系統のワード多重データ系列を抽出すると共に、削除情報を抽出するイーサネットデフレーム化部と、
前記系統毎に、前記イーサネットデフレーム化部により抽出された前記削除情報に対応する追加規則に基づいて、前記イーサネットデフレーム化部により抽出された前記ワード多重データ系列に、スタッフィング、ブランキングデータが多重された多重ＡＮＣ、または前記スタッフィング及び前記多重ＡＮＣを追加し、新たなワード多重データ系列を生成するデータ追加部と、
前記系統毎に、前記データ追加部により生成された前記新たなワード多重データ系列に対し８Ｂ／１０Ｂ符号化を施し、８Ｂ／１０Ｂ符号化データを生成する８Ｂ／１０Ｂ符号化部と、
前記系統毎に、前記８Ｂ／１０Ｂ符号化部により生成された前記８Ｂ／１０Ｂ符号化データの電気信号を光信号に変換し、前記１０Ｇリンク信号を出力する電気／光変換部と、
を備えたことを特徴とするイーサネットフレーム再変換装置。
【発明の詳細な説明】
【技術分野】
【０００１】
本発明は、複数の１０Ｇリンク信号をイーサネット（登録商標）フレームに変換するイーサネットフレーム変換装置、及びイーサネットフレームを複数の１０Ｇリンク信号に変換するイーサネットフレーム再変換装置に関する。
【背景技術】
【０００２】
従来、非圧縮の４Ｋまたは８Ｋ放送形式信号を伝送する光インタフェースについて定める超高精細度テレビジョン信号スタジオ機器間インタフェース規格が知られている（非特許文献１を参照）。この規格は、非圧縮の４Ｋまたは８Ｋ映像信号を、１０．６９２Ｇｂｐｓの１０Ｇリンク信号を複数本用いてマルチリンク伝送する、映像信号インタフェース規格である。
【０００３】
ここで、複数の１０Ｇリンク信号を１本のケーブルで伝送するインタフェースをＵ−ＳＤＩ（Ultrahigh-definition Signal Data Interface）といい、Ｕ−ＳＤＩにより伝送される信号をＵ−ＳＤＩ信号という。このＵ−ＳＤＩ信号は、主に、スタジオ内の機器間の短距離の伝送に用いられる。
【０００４】
一方、放送局内のスタジオ間の伝送、場面によっては中継現場から放送局までの間の伝送等のように、放送形式信号の伝送距離が、スタジオ内の機器間の伝送よりも比較的長くなる場合がある。放送形式信号の伝送を行う場合、伝送ネットワーク装置として、放送用に特化した機器よりも、家庭内または企業内等で幅広く普及の進んでいるイーサネット技術を盛り込んだ機器を用いる方が、伝送コストを低減できることが期待される。
【０００５】
高速なイーサネット伝送を実現する規格として、ＭＡＣフレームを伝送速度１０Ｇｂｐｓ（伝送路符号化後１０．３１２５Ｇｂｐｓ）で伝送する１０ギガビットイーサネット（１０ＧＥ）の規格がある（非特許文献２を参照）。また、ＭＡＣフレームを伝送速度１００Ｇｂｐｓ（伝送路符号化後１０３．１２５Ｇｂｐｓ）で伝送する１００ギガビットイーサネット（１００ＧＥ）の規格もある（非特許文献３を参照）。
【０００６】
さらに、非圧縮ハイビジョン信号（２Ｋ、フレームレート６０Ｈｚ）である３Ｇ−ＳＤＩ信号までのイーサネットフレームによる伝送について規格化されている（非特許文献４を参照）。この規格には、主に、非圧縮ハイビジョン信号をイーサネットフレームに変換する際のヘッダの構成が定義されている。しかし、複数の１０Ｇリンク信号からなるＵ−ＳＤＩ信号のイーサネットフレームによる伝送については、何ら規格化されていない。
【先行技術文献】
【非特許文献】
【０００７】
【非特許文献１】ARIB STD-B58 1.1版、「超高精細度テレビジョン信号スタジオ機器間インタフェース」
【非特許文献２】IEEE 802.3-2012 SECTION FOUR，“44．Introduction to 10Gb/s baseband network”
【非特許文献３】IEEE 802.3-2012 SECTION SIX，“80．Introduction to 40Gb/s and 100Gb/s networks”
【非特許文献４】SMPTE ST 2022-6：2012，“Transport of high bit rate media signals over IP networks”
【発明の概要】
【発明が解決しようとする課題】
【０００８】
先述したように、Ｕ−ＳＤＩ信号を構成する各１０Ｇリンク信号は、１本あたりの伝送速度が１０．６９２Ｇｂｐｓである。この１本の１０Ｇリンク信号を、非特許文献４の規格に従って１０ＧＥにて伝送する場合には、その伝送速度は、１０ＧＥの情報伝送速度である１０Ｇｂｐｓを超えてしまう。そのため、１本の１０Ｇリンク信号を伝送する場合には、複数の１０ＧＥの信号を用いる必要がある。さらに、複数の１０Ｇリンク信号から構成する映像信号全体において、より高速な１００ＧＥで伝送する場合にも、多数の１００ＧＥ信号を用いる必要がある。
【０００９】
このように、非特許文献１〜４の規格に従って、複数の１０Ｇリンク信号からなるＵ−ＳＤＩ信号をイーサネットフレームに変換して伝送する場合、１本の１０Ｇリンク信号を、複数の１０ＧＥの信号にて伝送する必要があり、伝送効率の点で改善の余地があった。また、信号伝送のためのケーブル、バッファメモリ、信号処理回路等を多数用意することとなり、コストが高くなってしまうという問題があった。これは、１００ＧＥの信号にて伝送する場合についても同様である。
【００１０】
そこで、本発明は前記課題を解決するためになされたものであり、その目的は、複数の１０Ｇリンク信号を、効率的にイーサネットフレームに変換して伝送可能なイーサネットフレーム変換装置及びイーサネットフレーム再変換装置を提供することにある。
【課題を解決するための手段】
【００１１】
前記課題を解決するために、請求項１のイーサネットフレーム変換装置は、映像信号を含む所定数の１０Ｇリンク信号を入力し、前記１０Ｇリンク信号に含まれる前記映像信号をイーサネットフレームに格納し、前記１０Ｇリンク信号を前記イーサネットフレームに変換し、前記イーサネットフレームを送信するイーサネットフレーム変換装置において、前記所定数の１０Ｇリンク信号のそれぞれに対応する系統毎に、前記１０Ｇリンク信号の光信号を電気信号に変換し、８Ｂ／１０Ｂ符号化データを出力する光／電気変換部と、前記系統毎に、前記光／電気変換部により出力された前記８Ｂ／１０Ｂ符号化データに対し８Ｂ／１０Ｂ復号を施し、スタッフィング、及び補助データまたはブランキングデータが多重された多重ＡＮＣを含むワード多重データ系列を生成する８Ｂ／１０Ｂ復号部と、前記系統毎に、所定の削除規則に従って、前記８Ｂ／１０Ｂ復号部により生成された前記ワード多重データ系列から、前記スタッフィング、前記多重ＡＮＣ、または前記スタッフィング及び前記多重ＡＮＣを削除し、新たなワード多重データ系列を生成するデータ削除部と、前記データ削除部により生成された前記系統毎の前記新たなワード多重データ系列を、前記イーサネットフレームに格納し、前記イーサネットフレームを所定数のイーサネットにより送信するイーサネットフレーム化部と、を備えたことを特徴とする。
【００１２】
また、請求項２のイーサネットフレーム変換装置は、請求項１に記載のイーサネットフレーム変換装置において、前記所定の削除規則には、前記系統毎に、データを削除しないことを示す情報、前記スタッフィングを削除することを示す情報、前記多重ＡＮＣを削除することを示す情報、または、前記スタッフィング及び前記多重ＡＮＣを削除することを示す情報が定義されている、ことを特徴とする。
【００１３】
また、請求項３のイーサネットフレーム変換装置は、請求項１または２に記載のイーサネットフレーム変換装置において、前記イーサネットフレーム化部が、さらに、前記所定の削除規則が反映された削除情報を、前記イーサネットフレームに格納する、ことを特徴とする。
【００１４】
さらに、請求項４のイーサネットフレーム再変換装置は、請求項１または２のイーサネットフレーム変換装置から所定数のイーサネットにより送信されたイーサネットフレームを受信し、前記イーサネットフレームから映像信号を抽出し、前記イーサネットフレームを前記１０Ｇリンク信号に再変換し、前記映像信号を含む所定数の１０Ｇリンク信号を出力するイーサネットフレーム再変換装置であって、前記イーサネットフレームから、前記所定数の１０Ｇリンク信号のそれぞれに対応する系統のワード多重データ系列を抽出するイーサネットデフレーム化部と、前記系統毎に、所定の削除規則に対応する追加規則に従って、前記イーサネットデフレーム化部により抽出された前記ワード多重データ系列に、スタッフィング、ブランキングデータが多重された多重ＡＮＣ、または前記スタッフィング及び前記多重ＡＮＣを追加し、新たなワード多重データ系列を生成するデータ追加部と、前記系統毎に、前記データ追加部により生成された前記新たなワード多重データ系列に対し８Ｂ／１０Ｂ符号化を施し、８Ｂ／１０Ｂ符号化データを生成する８Ｂ／１０Ｂ符号化部と、前記系統毎に、前記８Ｂ／１０Ｂ符号化部により生成された前記８Ｂ／１０Ｂ符号化データの電気信号を光信号に変換し、前記１０Ｇリンク信号を出力する電気／光変換部と、を備えたことを特徴とする。
【００１５】
また、請求項５のイーサネットフレーム再変換装置は、請求項３のイーサネットフレーム変換装置から所定数のイーサネットにより送信されたイーサネットフレームを受信し、前記イーサネットフレームから映像信号を抽出し、前記イーサネットフレームを前記１０Ｇリンク信号に再変換し、前記映像信号を含む所定数の１０Ｇリンク信号を出力するイーサネットフレーム再変換装置であって、前記イーサネットフレームから、前記所定数の１０Ｇリンク信号のそれぞれに対応する系統のワード多重データ系列を抽出すると共に、削除情報を抽出するイーサネットデフレーム化部と、前記系統毎に、前記イーサネットデフレーム化部により抽出された前記削除情報に対応する追加規則に基づいて、前記イーサネットデフレーム化部により抽出された前記ワード多重データ系列に、スタッフィング、ブランキングデータが多重された多重ＡＮＣ、または前記スタッフィング及び前記多重ＡＮＣを追加し、新たなワード多重データ系列を生成するデータ追加部と、前記系統毎に、前記データ追加部により生成された前記新たなワード多重データ系列に対し８Ｂ／１０Ｂ符号化を施し、８Ｂ／１０Ｂ符号化データを生成する８Ｂ／１０Ｂ符号化部と、前記系統毎に、前記８Ｂ／１０Ｂ符号化部により生成された前記８Ｂ／１０Ｂ符号化データの電気信号を光信号に変換し、前記１０Ｇリンク信号を出力する電気／光変換部と、を備えたことを特徴とする。
【発明の効果】
【００１６】
以上のように、本発明によれば、イーサネットフレームの伝送のために使用する帯域を狭めることができるから、複数の１０Ｇリンク信号を、効率的にイーサネットフレームに変換して伝送することが可能となる。
【図面の簡単な説明】
【００１７】
【図１】本発明の実施形態によるイーサネットフレーム変換装置及びイーサネットフレーム再変換装置を含む全体システムの構成例を示す概略図である。
【図２】８Ｋ／１２０映像から１０Ｇリンク信号へのマッピング例を説明する図である。
【図３】ベーシックストリームからワード多重データ系列を生成する処理例を説明する図である。
【図４】ワード多重データ系列から８Ｂ／１０Ｂ符号化データを生成する処理例を説明する図である。
【図５】イーサネットフレーム変換装置の構成例を示すブロック図である。
【図６】イーサネットフレーム変換装置の処理例を示すフローチャートである。
【図７】（１）は、１１２５ラインのワード多重データ系列においてスタッフィングのみを削除する構成例を示す図である。（２）は、１１２５ラインのワード多重データ系列において多重ＡＮＣのみを削除する構成例を示す図である。
【図８】イーサネットフレームの構成例を示す図である。
【図９】ＲＴＰペイロードヘッダの構成例を示す図である。
【図１０】ＲＴＰペイロードヘッダに格納される削除情報の構成例を示す図である。
【図１１】伝送速度と１０ＧＥ／１００ＧＥの本数を示す図である。
【図１２】イーサネットフレーム再変換装置の構成例を示すブロック図である。
【図１３】イーサネットフレーム再変換装置の処理例を示すフローチャートである。
【発明を実施するための形態】
【００１８】
以下、本発明を実施するための形態について図面を用いて詳細に説明する。本発明は、送信側において、１０Ｇリンク信号から冗長なデータを削除し、削除後のデータをイーサネットフレームに格納して伝送することを特徴とする。また、本発明は、受信側において、送信側からイーサネットフレームを受信し、送信側で削除された冗長なデータを復元し、１０Ｇリンク信号を再生することを特徴とする。これにより、イーサネットフレームの伝送のために使用する帯域を狭めることができ、複数の１０Ｇリンク信号を、効率的にイーサネットフレームに変換して伝送することが可能となる。
【００１９】
〔全体システム〕
まず、本発明の実施形態によるイーサネットフレーム変換装置及びイーサネットフレーム再変換装置を含む全体システムについて説明する。図１は、本発明の実施形態によるイーサネットフレーム変換装置及びイーサネットフレーム再変換装置を含む全体システムの構成例を示す概略図である。
【００２０】
このシステムは、送信側において、映像信号送信装置１００及びイーサネットフレーム変換装置（１０Ｇリンク信号／イーサネットフレーム変換装置）１を備えて構成される。また、このシステムは、受信側において、イーサネットフレーム再変換装置（イーサネットフレーム／１０Ｇリンク信号変換装置）２及び映像信号受信装置２００を備えて構成される。イーサネットフレーム変換装置１とイーサネットフレーム再変換装置２とは、伝送路３を介して接続され、イーサネットフレームが所定数のイーサネットにより伝送される。
【００２１】
映像信号送信装置１００は、映像信号を入力し、映像信号を複数（例えば２４本）の１０Ｇリンク信号からなるＵ−ＳＤＩ信号に変換し、Ｕ−ＳＤＩ信号をイーサネットフレーム変換装置１へ送信する。映像信号送信装置１００の詳細については後述する。
【００２２】
イーサネットフレーム変換装置１は、映像信号送信装置１００から複数の１０Ｇリンク信号からなるＵ−ＳＤＩ信号を受信し、Ｕ−ＳＤＩ信号を構成する複数の１０Ｇリンク信号におけるデータ系列から所定のデータを削除する。そして、イーサネットフレーム変換装置１は、データ削除後のデータ系列をイーサネットフレームに変換する。イーサネットフレーム変換装置１は、イーサネットフレームを、複数のイーサネット（例えば１０ＧＥ、１００ＧＥ）により、伝送路３を介してイーサネットフレーム再変換装置２へ送信する。イーサネットフレーム変換装置１の詳細については後述する。
【００２３】
イーサネットフレーム再変換装置２は、イーサネットフレーム変換装置１から伝送路３を介して、複数のイーサネットのイーサネットフレームを受信し、イーサネットフレームをデータ系列に再変換する。そして、イーサネットフレーム再変換装置２は、イーサネットフレーム変換装置１にて削除された所定のデータを復元し、復元後のデータ系列を複数の１０Ｇリンク信号からなるＵ−ＳＤＩ信号に変換する。イーサネットフレーム再変換装置２は、Ｕ−ＳＤＩ信号を映像信号受信装置２００へ送信する。イーサネットフレーム再変換装置２の詳細については後述する。
【００２４】
映像信号受信装置２００は、イーサネットフレーム再変換装置２からＵ−ＳＤＩ信号を受信し、複数の１０Ｇリンク信号からなるＵ−ＳＤＩ信号を映像信号に変換し、映像信号を出力する。映像信号受信装置２００の詳細については後述する。
【００２５】
〔映像信号送信装置１００〕
次に、図１に示した映像信号送信装置１００について詳細に説明する。図２は、１２０Ｈｚのフレーム周波数で動作する８Ｋ（水平画素数）×４Ｋ（垂直ライン数）の画素の映像（以下、８Ｋ／１２０映像という。）から１０Ｇリンク信号へのマッピング例を説明する図である。このマッピングの処理は、映像信号送信装置１００により行われる。
【００２６】
映像信号送信装置１００は、例えばカメラ等から３つの色信号コンポーネントからなる動画像の映像信号である８Ｋ／１２０映像を入力する。映像信号送信装置１００は、８Ｋ／１２０映像を構成する３つの色信号コンポーネントから、Ｎ個（Ｎ＝６，８，１２）の４Ｋサブイメージ、４Ｎ個のベーシックイメージ、及び４Ｎ本のベーシックストリームを生成する。そして、映像信号送信装置１００は、４Ｎ本のベーシックストリームから２Ｎ本の１０Ｇリンク信号を生成する。
【００２７】
具体的には、映像信号送信装置１００は、８Ｋ／１２０映像を構成する３つの色信号コンポーネントのそれぞれについて分割し、Ｎ個（Ｎ＝６，８，１２）の４Ｋサブイメージを生成する。映像信号送信装置１００は、４Ｋサブイメージを４分割することで、Ｎ個の４Ｋサブイメージから４Ｎ個のベーシックイメージを生成し、４Ｎ個のベーシックイメージから４Ｎ本のベーシックストリームを生成する。そして、映像信号送信装置１００は、２本のベーシックストリーム毎に１本の１０Ｇリンク信号へマッピングすることで、４Ｎ本のベーシックストリームから２Ｎ本の１０Ｇリンク信号を生成する。
【００２８】
つまり、１個の４Ｋサブイメージから４個のベーシックイメージが生成され、１個のベーシックイメージから１本のベーシックストリームが生成され、２本のベーシックストリームから１本の１０Ｇリンク信号が生成される。そして、映像信号送信装置１００は、２Ｎ本の１０Ｇリンク信号からなるＵ−ＳＤＩ信号を送信する。
【００２９】
Ｎの値は、８Ｋ／１２０映像のサンプリング構成に依存し、例えば、８Ｋ／１２０映像のＧ：Ｂ：Ｒ＝４：４：４サンプリングの場合、Ｎ＝１２であり、１０Ｇリンク信号は２４本生成される。以下、一例として８Ｋ／１２０映像のＧ：Ｂ：Ｒ＝４：４：４サンプリングの場合におけるイーサネットフレーム化について説明する。
【００３０】
（ベーシックストリームから１０Ｇリンク信号への変換処理）
次に、ベーシックストリームから１０Ｇリンク信号への変換処理について説明する。図３は、図２に示したマッピング例において、ベーシックストリーム（１２０Ｈｚベーシックストリーム）からワード多重データ系列を生成する処理例を説明する図である。図３に示すように、ワード多重データ系列は、２本のベーシックストリームがワード毎（１ワード＝１２ビット）に多重された系列である。
【００３１】
映像信号送信装置１００は、２本のベーシックストリームを多重して１本のワード多重データ系列を生成する際に、２本のベーシックストリームにおけるＥＡＶ（End of Active Video）、ＬＮ（Line Number：ライン番号）／ＣＲＣＣ（Cyclic Redundancy Check Code：誤り検出符号）／ＡＮＣ（ANCillary：補助）、ＳＡＶ（Start of Active Video）及び有効ラインのそれぞれのデータを多重する。そして、映像信号送信装置１００は、多重ＥＡＶ、多重ＬＮ／多重ＣＲＣＣ／多重ＡＮＣ、多重ＳＡＶ及び多重有効ラインからなるデータ系列を生成する。
【００３２】
映像信号送信装置１００は、生成したデータ系列の多重ＡＮＣと多重ＳＡＶとの間に、速度調整のための８８０ワードのスタッフィングを付加する。そして、映像信号送信装置１００は、多重ＥＡＶ、多重ＬＮ／多重ＣＲＣＣ／多重ＡＮＣ、スタッフィング、多重ＳＡＶ及び多重有効ラインを単位とした１２ビット／ワード（１ワード＝１２ビット）のワード多重データ系列を生成する。
【００３３】
多重ＡＮＣは、補助データまたはブランキングデータが多重されたデータであり、補助データとして音声情報等が多重される。前述の非特許文献１の規格において、多重ＡＮＣのブランキングデータは、色信号コンポーネントＹ、Ｇ、Ｂ、Ｒのベーシックストリームの場合に１００ｈ、色信号コンポーネントＣＢ、ＣＲのベーシックストリームの場合に８００ｈとすることになっている。また、スタッフィングは未定義であり、定義されるまでは１００ｈとすることになっている。
【００３４】
図４は、図３に示したワード多重データ系列から８Ｂ／１０Ｂ符号化データを生成する処理例を説明する図である。映像信号送信装置１００は、２本のベーシックストリームを多重して１本のワード多重データ系列を生成した後、当該１２ビット／ワードのワード多重データ系列をバイト化し、８ビット／ワードのワード多重データ系列を生成する。
【００３５】
映像信号送信装置１００は、８ビット／ワードのワード多重データ系列に対し８Ｂ／１０Ｂ符号化を施し、１０ビット／ワードの８Ｂ／１０Ｂ符号化データを生成する。そして、映像信号送信装置１００は、８Ｂ／１０Ｂ符号化データをシリアル化した電気信号を光信号に変換することで、１０．６９２Ｇｂｐｓの１０Ｇリンク信号を生成する。
【００３６】
このように、映像信号送信装置１００は、Ｇ：Ｂ：Ｒ＝４：４：４サンプリングの８Ｋ／１２０映像を入力し、８Ｋ／１２０映像を構成する３つの色信号コンポーネントから１２個の４Ｋサブイメージを生成する。そして、映像信号送信装置１００は、１２個の４Ｋサブイメージから４８個のベーシックイメージを生成し、４８個のベーシックイメージから４８本のベーシックストリームを生成し、４８本のベーシックストリームから２４本の１０Ｇリンク信号を生成する。これにより、映像信号送信装置１００から２４本の１０Ｇリンク信号からなるＵ−ＳＤＩ信号が送信される。
【００３７】
〔イーサネットフレーム変換装置１〕
次に、図１に示したイーサネットフレーム変換装置１について詳細に説明する。前述のとおり、イーサネットフレーム変換装置１は、Ｕ−ＳＤＩ信号を構成する複数の１０Ｇリンク信号におけるデータ系列から所定のデータを削除し、イーサネットフレームに変換する。そして、イーサネットフレーム変換装置１は、イーサネットフレームを、複数のイーサネット（例えば１０ＧＥ、１００ＧＥ）により送信する。
【００３８】
図５は、イーサネットフレーム変換装置１の構成例を示すブロック図であり、図６は、イーサネットフレーム変換装置１の処理例を示すフローチャートである。このイーサネットフレーム変換装置１は、光／電気変換部１０−１〜１０−２４、８Ｂ／１０Ｂ復号部１１−１〜１１−２４、データ削除部１２−１〜１２−２４、イーサネットフレーム化部１３及び削除テーブル１４を備えている。
【００３９】
まず、イーサネットフレーム変換装置１は、２４本の１０Ｇリンク信号からなるＵ−ＳＤＩ信号を入力する（ステップＳ６０１）。そして、光／電気変換部１０−１は、１０Ｇリンク信号の光信号を電気信号に変換し、シリアルの電気信号をパラレル化して１０ビット／ワードの８Ｂ／１０Ｂ符号化データを生成する（ステップＳ６０２）。そして、光／電気変換部１０−１は、１０ビット／ワードの８Ｂ／１０Ｂ符号化データを８Ｂ／１０Ｂ復号部１１−１に出力する。光／電気変換部１０−２〜１０−２４についても同様である。
【００４０】
８Ｂ／１０Ｂ復号部１１−１は、光／電気変換部１０−１から８Ｂ／１０Ｂ符号化データを入力し、８Ｂ／１０Ｂ符号化データに対し８Ｂ／１０Ｂ復号を施し、８ビット／ワードのワード多重データ系列を生成する（ステップＳ６０３）。そして、８Ｂ／１０Ｂ復号部１１−１は、ワード多重データ系列をデータ削除部１２−１に出力する。８Ｂ／１０Ｂ復号部１１−２〜１１−２４についても同様である。
【００４１】
これにより、当該イーサネットフレーム変換装置１が送信するイーサネットフレームに含まれる映像信号のデータ量を削減することができる。８Ｂ／１０Ｂ符号化データを送信せず、符号化前のデータ（ワード多重データ系列）に戻して送信するのは、当該イーサネットフレーム変換装置１がイーサネットフレームを送信する直前に、実際は６４Ｂ／６６Ｂ符号化を行うからである。つまり、８Ｂ／１０Ｂ符号化の効果は６４Ｂ／６６Ｂ符号化の効果に吸収されてしまうため、６４Ｂ／６６Ｂ符号化の前に８Ｂ／１０Ｂ符号化を行って８Ｂ／１０Ｂ符号化データを生成しておく必要がないからである。
【００４２】
データ削除部１２−１は、８Ｂ／１０Ｂ復号部１１−１からワード多重データ系列を入力し、削除テーブル１４に格納された情報に基づいて、ワード多重データ系列に含まれる所定のデータを削除する（ステップＳ６０４）。そして、データ削除部１２−１は、所定のデータを削除した後の新たなワード多重データ系列を生成し、新たなワード多重データ系列をイーサネットフレーム化部１３に出力する。データ削除部１２−２〜１２−２４についても同様である。
【００４３】
削除テーブル１４には、削除規則が定義された情報、すなわち、２４本の１０Ｇリンク信号のそれぞれに対応する系統毎に、ワード多重データ系列に含まれるデータのうち、削除対象のデータの種別が格納されている。具体的には、削除テーブル１４には、２４本の１０Ｇリンク信号の系統毎に、データを削除しないことを示す情報、スタッフィングを削除することを示す情報、多重ＡＮＣを削除することを示す情報、または、スタッフィング及び多重ＡＮＣを削除することを示す情報のうちのいずれかの情報が格納されている。
【００４４】
図７（１）は、１１２５ラインのワード多重データ系列においてスタッフィングのみを削除する構成例を示す図である。また、図７（２）は、１１２５ラインのワード多重データ系列において多重ＡＮＣのみを削除する構成例を示す図である。図７（１）及び図７（２）は、ワード多重データ系列を１映像フレーム分並べた場合の構成例を示しており、斜線箇所が削除対象となるデータである。
【００４５】
例えば、削除テーブル１４に、全系統についてスタッフィングのみを削除することを示す情報が格納されている場合、図７（１）のとおり、データ削除部１２−１〜１２−２４により、スタッフィングのみが削除されたワード多重データ系列が生成される。
【００４６】
また、例えば、削除テーブル１４に、全系統について多重ＡＮＣのみを削除することを示す情報が格納されている場合、図７（２）のとおり、データ削除部１２−１〜１２−２４により、多重ＡＮＣのみが削除されたワード多重データ系列が生成される。
【００４７】
また、削除テーブル１４に、全系統についてスタッフィング及び多重ＡＮＣを削除することを示す情報が格納されている場合、データ削除部１２−１〜１２−２４により、スタッフィング及び多重ＡＮＣが削除されたワード多重データ系列が生成される。
【００４８】
尚、削除テーブル１４は、ユーザにより予め設定されるようにしてもよいし、外部から手動または自動で更新されるようにしてもよい。また、削除テーブル１４には、前述のとおり、系統毎に削除に関する情報が格納される。このため、スタッフィングのみの削除を適用するか、多重ＡＮＣのみの削除を適用するか、または両データの削除を適用するかについては、ユーザ等により、１０Ｇリンク信号の系統毎に任意に設定することができる。
【００４９】
前述のとおり、２４本の１０Ｇリンク信号の系統における多重ＡＮＣのうち、所定の１〜２本の１０Ｇリンク信号の系統における多重ＡＮＣには、補助データとして音声情報等が多重されている。また、それ以外の系統における多重ＡＮＣには、ブランキングデータが多重されている。削除テーブル１４に、所定の１〜２本の１０Ｇリンク信号の系統についてスタッフィングを削除することを示す情報が格納され、それ以外の系統についてスタッフィング及び多重ＡＮＣを削除することを示す情報が格納されているとする。この場合、所定の１〜２本の系統における音声情報等が多重された多重ＡＮＣは削除されないから、音声情報等を伝送することができる。
【００５０】
図５及び図６に戻って、イーサネットフレーム化部１３は、データ削除部１２−１〜１２−２４から所定のデータが削除されたワード多重データ系列をそれぞれ入力する。そして、イーサネットフレーム化部１３は、ワード多重データ系列を、イーサネットフレームを構成するＲＴＰペイロードのペイロードに格納する（ステップＳ６０５）。
【００５１】
図８は、イーサネットフレームの構成例を示す図である。本発明の実施形態に用いるイーサネットフレームは、ＭＡＣヘッダ、ＩＰヘッダ、ＵＤＰヘッダ、ＲＴＰヘッダ、ＲＴＰペイロード及びＦＣＳにより構成される。ＲＴＰペイロードは、ＲＴＰペイロードヘッダ及びペイロードからなる。映像データのイーサネットフレーム化の処理においては、前述の非特許文献４のとおり、ＲＴＰペイロードのペイロードに映像信号が挿入される。また、当該ＲＴＰペイロードのデータ長に対して６％程度のＭＡＣヘッダ、ＩＰヘッダ、ＵＤＰヘッダ及びＲＴＰヘッダが付加される。
【００５２】
図８に示すイーサネットフレームの構成例において、ステップＳ６０５にて、ワード多重データ系列がＲＴＰペイロードのペイロードに格納され、後述するステップＳ６０６にて、削除情報がＲＴＰペイロードのＲＴＰペイロードヘッダに格納される。
【００５３】
図５及び図６に戻って、イーサネットフレーム化部１３は、削除テーブル１４に格納された情報に基づいて削除情報を生成し、削除情報を、イーサネットフレームを構成するＲＴＰペイロードのＲＴＰペイロードヘッダに格納する（ステップＳ６０６）。削除情報には、削除テーブル１４に定義された削除規則が反映される。
【００５４】
図９は、ＲＴＰペイロードヘッダの構成例を示す図であり、図１０は、ＲＴＰペイロードヘッダに格納される削除情報の構成例を示す図である。図９に示すように、ＲＴＰペイロードヘッダは、Ｅｘｔ：エクステンションフィールド（Extension field）、Ｆ：フラグ（Video source format flag）、ＶＳＩＤ（Video source ID Protection profile）、・・・、ＲＥＳＥＲＶＥ：予備領域、・・・、ＦＭＴ−ＲＥＳＥＲＶＥ：ＦＭＴ予備領域等により構成される。「００〜３１」はビットの番号を示す。尚、ＲＴＰペイロードヘッダの詳細については、前述の非特許文献４を参照されたい。削除情報は、ＲＴＰペイロードヘッダの予備領域及びＦＭＴ予備領域に格納される。
【００５５】
図９に示すように、削除情報のビット長は、予備領域の５ビット及びＦＭＴ予備領域の８ビットを合計した１３ビットである。図１０に示すように、削除情報は、コンテンツＩＤ及び削除識別情報からなり、コンテンツＩＤのビット長は１１ビット、削除識別情報のビット長は２ビットである。
【００５６】
コンテンツＩＤは、６ビットのシステムＩＤ及び５ビットの１０Ｇリンク信号番号からなる。システムＩＤは、映像及びサンプリング構造に応じた識別子を示し、１０Ｇリンク信号番号は、１０Ｇリンク信号の番号を示す。本例は、８Ｋ／１２０映像のＧ：Ｂ：Ｒ＝４：４：４サンプリングの場合を説明しているから、システムＩＤ＝Ｕ２．１である。また、本例の１０Ｇリンク信号は２４本であるから、１０Ｇリンク信号番号は１〜２４のいずれかの番号である。
【００５７】
削除識別情報は、「００」の場合にデータを削除しないことを示し、「０１」の場合にスタッフィングを削除することを示し、「１０」の場合に多重ＡＮＣを削除することを示し、「１１」の場合にスタッフィング及び多重ＡＮＣの両方を削除することを示す。
【００５８】
図６のステップＳ６０６による削除情報の生成処理について具体的に説明する。イーサネットフレーム化部１３は、ステップＳ６０５にて格納したワード多重データ系列に対応するシステムＩＤ（ワード多重データ系列が生成された元の映像についてのシステムＩＤ、本例ではＵ２．１）を設定する。また、イーサネットフレーム化部１３は、当該ワード多重データ系列に対応する１０Ｇリンク信号番号（ワード多重データ系列が生成された元の１０Ｇリンク信号の番号、本例では１〜２４のいずれかの番号）を設定する。
【００５９】
さらに、イーサネットフレーム化部１３は、削除テーブル１４に格納された情報から、ステップＳ６０５にて格納したワード多重データ系列に対応する系統の情報（データを削除しないことを示す情報、スタッフィングを削除することを示す情報、多重ＡＮＣを削除することを示す情報、または、スタッフィング及び多重ＡＮＣを削除することを示す情報）を特定する。
【００６０】
イーサネットフレーム化部１３は、特定した情報に従って、ステップＳ６０５にて格納したワード多重データ系列について、削除識別情報（００，０１，１０，１１）を設定する。
【００６１】
このように、イーサネットフレーム化部１３は、システムＩＤ及び１０Ｇリンク信号番号からなるコンテンツＩＤを設定すると共に、削除識別情報を設定することで、削除情報を生成する。
【００６２】
図５及び図６に戻って、イーサネットフレーム化部１３は、所定データを、イーサネットフレームのＭＡＣヘッダ、ＩＰヘッダ、ＵＤＰヘッダ、ＲＴＰヘッダ及びＲＴＰペイロードヘッダに格納する（ステップＳ６０７）。そして、イーサネットフレーム化部１３は、イーサネットフレームを生成し、イーサネットフレームを所定数のイーサネット（例えば１０ＧＥ、１００ＧＥ）により送信する（ステップＳ６０８）。
【００６３】
ここで、２４本の１０Ｇリンク信号におけるそれぞれの系統にて生成されるイーサネットフレームと、当該イーサネットフレームが送信されるイーサネットとの対応は、予め設定されている。例えば、２４本の１０Ｇリンク信号に対応する２４系統のうち第１系統にて生成されたイーサネットフレームは、所定数Ｎ（Ｎは２以上の整数）のうち第１番目のイーサネットにより送信される。また、第２系統にて生成されたイーサネットフレームは、第１番目のイーサネットの残りの帯域を使用して送信され、残りの帯域では全て送信できない場合、第２番目のイーサネットによっても送信される。このように、複数の系統と複数のイーサネットとの対応は予め設定されている。イーサネットフレーム化部１３は、予め設定された対応付けのデータに基づいて、生成したイーサネットフレームと使用するイーサネットとを対応付け、イーサネットフレームを、対応付けたイーサネットにより送信する。
【００６４】
図１１は、伝送速度と１０ＧＥ／１００ＧＥの本数を示す図である。この図は、（１）〜（４）の各データについて、スタッフィング削除を適用した１０Ｇリンク信号の本数、多重ＡＮＣ削除を適用した１０Ｇリンク信号の本数、１本の１０Ｇリンク信号におけるイーサネットフレーム化後の速度（Ｇｂｐｓ）、８Ｋ映像全体の１０Ｇリンク信号におけるイーサネットフレーム化後の速度（Ｇｂｐｓ）、イーサネットが１０ＧＥの場合の１０ＧＥの本数（イーサネットの数）、及び、イーサネットが１００ＧＥの場合の１００ＧＥの本数（イーサネットの数）を示す。
【００６５】
（１）は、８Ｂ／１０Ｂ符号化データの１０Ｇリンク信号の場合、すなわち、図５に示した光／電気変換部１０−１〜１０−２４から出力された８Ｂ／１０Ｂ符号化データがイーサネットフレームに変換された場合を示す。
【００６６】
（２）は、８Ｂ／１０Ｂ符号化前のワード多重データ系列（８ビット／ワード）の場合、すなわち、図５に示した８Ｂ／１０Ｂ復号部１１−１〜１１−２４から出力されたワード多重データ系列がイーサネットフレームに変換された場合を示す。
【００６７】
（３）は、スタッフィング削除を適用したワード多重データ系列の場合を示す。すなわち、図５に示したデータ削除部１２−１〜１２−２４によりスタッフィングが削除されたワード多重データ系列について、当該ワード多重データ系列がイーサネットフレームに変換された場合を示す。
【００６８】
（４）は、スタッフィング削除及び多重ＡＮＣ削除を適用したワード多重データ系列の場合を示す。すなわち、図５に示したデータ削除部１２−１〜１２−２４によりスタッフィング及び多重ＡＮＣが削除されたワード多重データ系列について、当該ワード多重データ系列がイーサネットフレームに変換された場合を示す。
【００６９】
（１）に示す８Ｂ／１０Ｂ符号化データの場合、１０Ｇリンク信号をイーサネットフレーム化したときの１本の１０Ｇリンク信号あたりの伝送速度は１１．３Ｇｂｐｓとなり、８Ｋ映像全体では１１．３×２４＝２７１Ｇｂｐｓとなる。これは、イーサネットが１０ＧＥの場合、１０ＧＥ信号が２８本必要となり、イーサネットが１００ＧＥの場合、１００ＧＥ信号が３本必要となることを示している。
【００７０】
また、（２）に示す８Ｂ／１０Ｂ符号化前のワード多重データ系列の場合、映像信号の速度は８．５５Ｇｂｐｓであり、これをイーサネットフレーム化したときの伝送速度は９．１Ｇｂｐｓとなり、８Ｋ映像全体では９．１×２４＝２１８Ｇｂｐｓとなる。これは、イーサネットが１０ＧＥの場合、１０ＧＥ信号が２２本必要となり、イーサネットが１００ＧＥの場合、１００ＧＥ信号が３本必要となることを示している。
【００７１】
また、（３）に示すスタッフィング削除を適用したワード多重データ系列の１０Ｇリンク信号の場合において、スタッフィング削除を２４本の１０Ｇリンク信号に適用する。１０Ｇリンク信号をイーサネットフレーム化したときの１本の１０Ｇリンク信号あたりの伝送速度は７．６Ｇｂｐｓとなる。また、８Ｋ映像全体では７．６×２４＝１８１Ｇｂｐｓとなる。これは、イーサネットが１０ＧＥの場合、１０ＧＥ信号が１９本必要となり、イーサネットが１００ＧＥの場合、１００ＧＥ信号が２本必要となることを示している。
【００７２】
また、（４）に示すスタッフィング削除及び多重ＡＮＣ削除を適用したワード多重データ系列の１０Ｇリンク信号の場合において、スタッフィング削除及び多重ＡＮＣ削除を２４本の１０Ｇリンク信号に適用する。１０Ｇリンク信号をイーサネットフレーム化したときの１本の１０Ｇリンク信号あたりの伝送速度は６．６Ｇｂｐｓとなる。また、８Ｋ映像全体では６．６×２４＝１５９Ｇｂｐｓとなる。これは、イーサネットが１０ＧＥの場合、１０ＧＥ信号が１６本必要となり、イーサネットが１００ＧＥの場合、１００ＧＥ信号が２本必要となることを示している。
【００７３】
以上のように、本発明の実施形態のイーサネットフレーム変換装置１によれば、光／電気変換部１０−１〜１０−２４は、Ｕ−ＳＤＩ信号を構成する１０Ｇリンク信号の光信号を電気信号に変換する。そして、８Ｂ／１０Ｂ復号部１１−１〜１１−２４は、電気信号に変換された８Ｂ／１０Ｂ符号化データに対し８Ｂ／１０Ｂ復号を施し、８ビット／ワードのワード多重データ系列を生成する。
【００７４】
データ削除部１２−１〜１２−２４は、削除テーブル１４に格納された情報（２４本の１０Ｇリンク信号の系統毎に、削除対象のデータの種別が定義された情報）に基づいて、ワード多重データ系列に含まれるスタッフィング、多重ＡＮＣ、またはスタッフィング及び多重ＡＮＣを削除する。
【００７５】
イーサネットフレーム化部１３は、所定のデータが削除されたワード多重データ系列をイーサネットフレームに格納する。そして、イーサネットフレーム化部１３は、削除テーブル１４に格納された情報に基づいて、コンテンツＩＤ（システムＩＤ及び１０Ｇリンク信号番号）及び削除識別情報（００：データを削除しない、０１：スタッフィングを削除、１０：多重ＡＮＣを削除、１１：スタッフィング及び多重ＡＮＣの両方を削除）からなる削除情報を生成し、削除情報をイーサネットフレームに格納する。そして、イーサネットフレーム化部１３は、イーサネットフレームを生成し、イーサネットフレームを所定数のイーサネット（例えば１０ＧＥ、１００ＧＥ）により送信する。
【００７６】
このように、削除テーブル１４により、２４本の１０Ｇリンク信号におけるそれぞれの系統について、ワード多重データ系列から削除するデータを任意に設定することができる。そして、８Ｋ映像全体でデータ量を削減することができ、イーサネットフレームの伝送のために使用する帯域を狭めることができる。したがって、複数の１０Ｇリンク信号を、効率的にイーサネットフレームに変換して伝送することが可能となる。
【００７７】
〔イーサネットフレーム再変換装置２〕
次に、図１に示したイーサネットフレーム再変換装置２について詳細に説明する。前述のとおり、イーサネットフレーム再変換装置２は、複数のイーサネット（例えば１０ＧＥ、１００ＧＥ）のイーサネットフレームをデータ系列に変換する。そして、イーサネットフレーム再変換装置２は、イーサネットフレーム変換装置１にて削除された所定のデータを復元し、復元後のデータ系列を複数の１０Ｇリンク信号からなるＵ−ＳＤＩ信号に変換する。つまり、イーサネットフレーム再変換装置２は、イーサネットフレーム変換装置１の逆の処理を行う。
【００７８】
図１２は、イーサネットフレーム再変換装置２の構成例を示すブロック図であり、図１３は、イーサネットフレーム再変換装置２の処理例を示すフローチャートである。このイーサネットフレーム再変換装置２は、イーサネットデフレーム化部２０、データ追加部２１−１〜２１−２４、８Ｂ／１０Ｂ符号化部２２−１〜２２−２４及び電気／光変換部２３−１〜２３−２４を備えている。
【００７９】
まず、イーサネットフレーム再変換装置２は、所定数のイーサネット（例えば１０ＧＥ、１００ＧＥ）により送信されたイーサネットフレームを受信する（ステップＳ１３０１）。そして、イーサネットデフレーム化部２０は、図５に示したイーサネットフレーム化部１３とは逆の処理を行う。つまり、イーサネットデフレーム化部２０は、イーサネットフレームを構成するＲＴＰペイロードのペイロードから、ワード多重データ系列を抽出する（ステップＳ１３０２）。また、イーサネットデフレーム化部２０は、イーサネットフレームを構成するＲＴＰペイロードのＲＴＰペイロードヘッダから、削除情報を抽出する（ステップＳ１３０３）。
【００８０】
イーサネットデフレーム化部２０は、削除情報に含まれるコンテンツＩＤの１０Ｇリンク信号番号に対応した系統を特定し、同じイーサネットフレームから抽出したワード多重データ系列及び削除情報を、当該系統のデータ追加部２１−１〜２１−２４に出力する。例えば、イーサネットデフレーム化部２０は、１０Ｇリンク信号番号が１の場合、ワード多重データ系列及び削除情報をデータ追加部２１−１に出力する。
【００８１】
データ追加部２１−１は、図５に示したデータ削除部１２−１とは逆の処理を行う。つまり、データ追加部２１−１は、イーサネットデフレーム化部２０からワード多重データ系列及び削除情報を入力し、削除情報に含まれる削除識別情報に基づいて、所定のデータをワード多重データ系列に追加する（ステップＳ１３０４）。具体的には、データ追加部２１−１は、削除情報に含まれる削除識別情報を抽出し、削除識別情報に対応する追加情報（削除規則に対応する追加規則）に基づいて、所定のデータをワード多重データ系列に追加する。そして、データ追加部２１−１は、所定のデータを追加した後のワード多重データ系列を、８Ｂ／１０Ｂ符号化部２２−１に出力する。ここで、所定のデータとは、図５のデータ削除部１２−１により図６のステップＳ６０４にて削除されたデータである。
【００８２】
例えば、データ追加部２１−１は、削除情報に含まれる削除識別情報が００の場合、データは削除されていないと判断し、追加処理を行わない。また、データ追加部２１−１は、削除情報に含まれる削除識別情報が０１の場合、スタッフィングが削除されていると判断し、スタッフィングの未定義ワードをワード多重データ系列の所定位置に追加する。
【００８３】
また、データ追加部２１−１は、削除情報に含まれる削除識別情報が１０の場合、多重ＡＮＣが削除されていると判断し、多重ＡＮＣのブランキングデータをワード多重データ系列の所定位置に追加する。また、データ追加部２１−１は、削除情報に含まれる削除識別情報が１１の場合、スタッフィング及び多重ＡＮＣが削除されていると判断する。そして、データ追加部２１−１は、スタッフィングの未定義ワード及び多重ＡＮＣのブランキングデータをワード多重データ系列の所定位置にそれぞれ追加する。データ追加部２１−２〜２１−２４についても同様である。
【００８４】
８Ｂ／１０Ｂ符号化部２２−１は、図５に示した８Ｂ／１０Ｂ復号部１１−１とは逆の処理を行う。つまり、８Ｂ／１０Ｂ符号化部２２−１は、データ追加部２１−１から、所定のデータを追加した後のワード多重データ系列を入力する。そして、８Ｂ／１０Ｂ符号化部２２−１は、ワード多重データ系列に対し８Ｂ／１０Ｂ符号化を施し、８Ｂ／１０Ｂ符号化データを生成する（ステップＳ１３０５）。そして、８Ｂ／１０Ｂ符号化部２２−１は、８Ｂ／１０Ｂ符号化データを電気／光変換部２３−１に出力する。８Ｂ／１０Ｂ符号化部２２−２〜２２−２４についても同様である。
【００８５】
電気／光変換部２３−１は、図５に示した光／電気変換部１０−１とは逆の処理を行う。つまり、電気／光変換部２３−１は、８Ｂ／１０Ｂ符号化部２２−１から８Ｂ／１０Ｂ符号化データを入力し、８Ｂ／１０Ｂ符号化データであるパラレルの電気信号をシリアル化する。そして、電気／光変換部２３−１は、シリアルの電気信号を光信号に変換する（ステップＳ１３０６）。電気／光変換部２３−２〜２３−２４についても同様である。
【００８６】
イーサネットフレーム再変換装置２は、光信号である２４本の１０Ｇリンク信号からなるＵ−ＳＤＩ信号を出力する（ステップＳ１３０７）。
【００８７】
以上のように、本発明の実施形態のイーサネットフレーム再変換装置２によれば、イーサネットデフレーム化部２０は、イーサネットフレームからワード多重データ系列及び削除情報を抽出し、削除情報に含まれる１０Ｇリンク信号番号に対応した系統を特定し、ワード多重データ系列及び削除情報を、対応するデータ追加部２１−１〜２１−２４に出力する。
【００８８】
データ追加部２１−１〜２１−２４は、削除情報に含まれる削除識別情報（００：データを削除しない、０１：スタッフィングを削除、１０：多重ＡＮＣを削除、１１：スタッフィング及び多重ＡＮＣの両方を削除）に基づいて、スタッフィング等の所定のデータをワード多重データ系列に追加する。
【００８９】
８Ｂ／１０Ｂ符号化部２２−１〜２２−２４は、所定のデータが追加されたワード多重データ系列に対し８Ｂ／１０Ｂ符号化を施し、８Ｂ／１０Ｂ符号化データを生成する。そして、電気／光変換部２３−１〜２３−２４は、８Ｂ／１０Ｂ符号化データの電気信号をＵ−ＳＤＩ信号を構成する１０Ｇリンク信号の光信号に変換する。
【００９０】
このように、イーサネットフレームから削除情報が抽出されて、削除情報に含まれる削除識別情報に基づいて所定のデータが追加され、元のワード多重データ系列が復元される。そして、元のＵ−ＳＤＩ信号を構成する１０Ｇリンク信号の光信号が生成される。これにより、８Ｋ映像全体でデータ量を削減することができ、イーサネットフレームの伝送のために使用する帯域を狭めることができる。したがって、複数の１０Ｇリンク信号を、効率的にイーサネットフレームに変換して伝送することが可能となる。
【００９１】
〔映像信号受信装置２００〕
次に、図１に示した映像信号受信装置２００について説明する。映像信号受信装置２００は、イーサネットフレーム再変換装置２から複数の１０Ｇリンク信号からなるＵ−ＳＤＩ信号を受信し、映像信号送信装置１００とは逆の処理を行う。すなわち、映像信号受信装置２００は、図２に示したマッピング例の逆の処理を行い、所定数のベーシックストリーム、ベーシックイメージ、４Ｋサブイメージ及び８Ｋ／１２０映像を生成し、映像信号を復元する。
【００９２】
具体的には、Ｎ＝１２の場合、映像信号受信装置２００は、Ｕ−ＳＤＩ信号を構成する２４本の１０Ｇリンク信号から４８本のベーシックストリームを生成し、４８本のベーシックストリームから４８個のベーシックイメージを生成する。そして、映像信号受信装置２００は、４８個のベーシックイメージから１２個の４Ｋサブイメージを生成し、１２個の４Ｋサブイメージから８Ｋ／１２０映像を構成する３つの色信号コンポーネントを生成する。これにより、映像信号受信装置２００からＧ：Ｂ：Ｒ＝４：４：４サンプリングの８Ｋ／１２０映像が出力される。
【００９３】
尚、映像信号受信装置２００の処理は、映像信号送信装置１００の処理の逆であるから、ここでは詳細な説明を省略する。
【００９４】
以上、実施形態を挙げて本発明を説明したが、本発明は前記実施形態に限定されるものではなく、その技術思想を逸脱しない範囲で種々変形可能である。例えば、前記実施形態では、イーサネットフレーム変換装置１のイーサネットフレーム化部１３は、イーサネットフレームを生成し、イーサネットフレームを、例えば１０ＧＥまたは１００ＧＥの所定数のイーサネットにより送信するようにした。本発明は、イーサネットを１０ＧＥまたは１００ＧＥに限定するものではなく、イーサネットフレームを、他のイーサネットにより送信するようにしてもよい。
【００９５】
また、前記実施形態では、イーサネットフレーム変換装置１のイーサネットフレーム化部１３は、削除情報を、イーサネットフレームを構成するＲＴＰペイロードのＲＴＰペイロードヘッダに格納するようにした。これに対し、イーサネットフレーム化部１３は、削除情報を、イーサネットフレームの他の領域に格納するようにしてもよい。
【００９６】
また、前記実施形態では、イーサネットフレーム変換装置１のイーサネットフレーム化部１３は、削除情報をイーサネットフレームに格納して送信する。イーサネットフレーム再変換装置２のイーサネットデフレーム化部２０は、受信したイーサネットフレームから削除情報を抽出する。そして、イーサネットフレーム再変換装置２のデータ追加部２１−１〜２１−２４は、削除情報に基づいて、イーサネットフレーム変換装置１にて削除されたデータを追加する。これに対し、削除するデータが予め設定されている場合には、イーサネットフレーム変換装置１は、削除情報をイーサネットフレーム再変換装置２へ送信しなくてもよい。この場合、イーサネットフレーム再変換装置２のデータ追加部２１−１〜２１−２４は、予め設定された削除テーブル（図５の削除テーブル１４に相当）に基づいて、イーサネットフレーム変換装置１にて削除されたデータを追加する。
【符号の説明】
【００９７】
１  イーサネットフレーム変換装置
２  イーサネットフレーム再変換装置
３  伝送路
１０  光／電気変換部
１１  ８Ｂ／１０Ｂ復号部
１２  データ削除部
１３  イーサネットフレーム化部
１４  削除テーブル
２０  イーサネットデフレーム化部
２１  データ追加部
２２  ８Ｂ／１０Ｂ符号化部
２３  電気／光変換部
１００  映像信号送信装置
２００  映像信号受信装置
【図１】
0006560589.tif 000002
【図２】
0006560589.tif 000003
【図３】
0006560589.tif 000004
【図４】
0006560589.tif 000005
【図５】
0006560589.tif 000006
【図６】
0006560589.tif 000007
【図７】
0006560589.tif 000008
【図８】
0006560589.tif 000009
【図９】
0006560589.tif 000010
【図１０】
0006560589.tif 000011
【図１１】
0006560589.tif 000012
【図１２】
0006560589.tif 000013
【図１３】
0006560589.tif 000014